(57)【特許請求の範囲】
【請求項１】
天板と、該天板を支持する少なくとも左右一対の脚体と、該脚体同士を、左右方向の連結杆により連結してなるテーブルであって、
前記連結杆は、その左右端部を、前記各脚体に固着された取付具に固着されるものとし、  前記取付具は、少なくとも前記連結杆を支持する支持部と、前記脚体へ固着される取付部とを備え、前記連結杆は、前記支持部に載置された状態でボルトによって、外方から前記取付具に螺着されるとともに、前記取付部は、前記取付具における上面を前記脚体方向へ延設してなり、前記脚体上部の上方に向けて開口形成された切欠部に嵌合する嵌合突部からなり、該嵌合突部の高さ及び突出寸法を、前記切欠部の高さ及び前後左右の幅と略同一としたことを特徴とするテーブルのフレーム構造。
【請求項２】
前記嵌合突部の下面における前記支持部側の部位を垂下させて形成した当接面を前記左右の脚体の各々における互いに対向する内面に当接させた請求項１に記載のテーブルのフレーム構造。
【請求項３】
前記支持部は、前記取付具の上面を開口して形成され、該開口は、前記連結杆の開口への載置時に、支持部の上面と連結杆の上面が面一となり、前後幅が連結杆の前後幅と略等しくなるように構成した請求項１または２に記載のテーブルのフレーム構造。
【請求項４】
前記取付具には、前記開口に連通する左右方向に延びる連結杆取付のための貫通孔が当該当接面よりも対向する脚体寄りの位置に形成されている請求項２または３に記載のテーブルのフレーム構造。
【請求項５】
前記脚体は、床面に接地されるベース脚と、該ベース脚から上方に延出された支柱と、によって構成され、該支柱の上部に前後方向を向く天板を支持する支持杆を固着し、該支持杆の上面を切り欠いて前記切欠部を形成した請求項１乃至４のいずれかに記載のテーブルのフレーム構造。
【発明の詳細な説明】
【技術分野】
【０００１】
本発明は、本発明は、天板と、該天板を支持する少なくとも左右一対の脚体と、該脚体同士を、左右方向の連結杆により連結してなるテーブルのフレーム構造に関する。
【背景技術】
【０００２】
従来、天板を支持する少なくとも左右一対の脚体同士を、連結杆により連結してなるテーブルのフレーム構造として、連結杆の中央部位に、床面に接地する２本の中間脚が溶着して一体化され、天板の中央部の荷重を支持しているものが知られている（特許文献１）。そしてこの連結杆の各端部は取付金具を介して前後の側部フレームにボルトで連結されている。
【０００３】
【特許文献１】特開２００５−１８５６４１号公報（段落００１３，００１６−００１７、図１〜４）
【発明の開示】
【発明が解決しようとする課題】
【０００４】
しかしながら、特許文献１にあっては、天板の上方からの強い荷重が連結杆に加わった際に、長手方向を支持する側部フレームを下方に撓ませることがないように、２本の中間脚で撓みを極力防いでいるが、連結杆と中間脚とは溶着により一体化されているため、異なるサイズの天板をテーブルに用いる際に、各種長さの連結杆を中間脚を溶着する必要があり、フレーム構造の構築に手間が掛った。
【０００５】
さらに特許文献１には、左右前後の支持脚をそれぞれ連結する連結杆に相当する端部フレームあるいは側部フレームが記載されているが、このフレームは両端に形成された嵌合溝に、支持脚の側部に設けられた突設された嵌合突起がそれぞれ嵌合して連結されているものであり、天板の上方からの強い荷重に対して大きな支持強度を得るために、嵌合突起を長く突設して大きな支持面積を確保しなければならず、支持脚とフレームとの連結構造が大形複雑化する傾向にあった。
【０００６】
本発明は、このような問題点に着目してなされたもので、脚体同士を連結するフレーム（連結杆）の組み付けが容易で、天板のサイズに合わせて連結杆の選択が自由にでき、天板側から大きな荷重が加えられた場合でも、脚と連結杆の連結構造を大形複雑化することなく天板を確実に支持できるテーブルのフレーム構造を提供することを目的とする。
【課題を解決するための手段】
【０００７】
上記課題を解決するために、本発明の請求項１に記載のテーブルのフレーム構造は、天板と、該天板を支持する少なくとも左右一対の脚体と、該脚体同士を、左右方向の連結杆により連結してなるテーブルであって、前記連結杆は、その左右端部を、前記各脚体に固着された取付具に固着されるものとし、  前記取付具は、少なくとも前記連結杆を支持する支持部と、前記脚体へ固着される取付部とを備え、前記連結杆は、前記支持部に載置された状態でボルトによって、外方から前記取付具に螺着されるとともに、前記取付部は、前記取付具における上面を前記脚体方向へ延設してなり、前記脚体上部の上方に向けて開口形成された切欠部に嵌合する嵌合突部からなり、該嵌合突部の高さ及び突出寸法を、前記切欠部の高さ及び前後左右の幅と略同一としたことを特徴としている。
この特徴によれば、脚体上部の上方に向けて開口形成された切欠部に取付具の嵌合突部を上方から載置して脚体に固着できるので、連結構造が簡素でありかつ組み付けが容易に行える。しかも、切欠部の高さ及び前後左右の幅と、嵌合突部の高さ及び突出寸法が略同一となるため、脚体の上面と取付部の上面を面一にでき、天板下面と脚体および取付具との隙間を生じさせずに、安定して天板を支持できるとともに、外部からの見栄えも良くなるばかりでなく、天板の上方からの大きな荷重が加えられた場合でも、取付具を介して脚体の切欠部下面で受けることができ、天板に対し支持強度を安定化させることができる。また、連結杆と脚体の連結に取付具を用いたことで、天板のサイズに合わせて適宜、長さの異なる連結杆の選定組み付けが容易に行える。
【０００８】
本発明の請求項２に記載のテーブルのフレーム構造は、請求項１に記載のテーブルのフレーム構造であって、前記嵌合突部の下面における前記支持部側の部位を垂下させて形成した当接面を前記左右の脚体の各々における互いに対向する内面に当接させたことを特徴としている。
この特徴によれば、嵌合突部の支持部側の部位を垂下して形成した当接面を、脚体の互いに対向する内面に当接させているので、脚体と取付具との密着度が高まり、より安定して連結杆が取付具を介して脚体に支持されるるとともに、両者の接合強度を高めることができる。
【０００９】
本発明の請求項３に記載のテーブルのフレーム構造は、請求項１または２に記載のテーブルのフレーム構造であって、前記支持部は、前記取付具の上面を開口して形成され、該開口は、前記連結杆の開口への載置時に、支持部の上面と連結杆の上面が面一となり、前後幅が連結杆の前後幅と略等しくなるように構成したことを特徴としている。
この特徴によれば、連結杆の左右端部支持部の上方に開口されたところに載置し、外方よりボルトで螺着できるので、連結杆の取付具への固着が簡便に行える。連結杆の開口への載置時に、支持部の上面と連結杆の上面が面一となり、前後幅が連結杆の前後幅と略等しくなるように開口を構成したので、支持部に連結杆を確実に仮固定でき、かつ連結杆と取付具の上面に段差なく、両者で天板を安定して支持できる。
【００１０】
本発明の請求項４に記載のテーブルのフレーム構造は、請求項１乃至３のいずれかに記載のテーブルのフレーム構造であって、前記取付具には、前記開口に連通する左右方向に延びる連結杆取付のための貫通孔が当該当接面よりも対向する脚体寄りの位置に形成されていることを特徴としている。
この特徴によれば、連結杆と取付具とを貫通孔を介してボルトで螺着したときに、貫通孔が当該当接面よりも対向する脚体寄りの位置に形成されているので、ボルト頭を当接面よりも外方に突出させずに収めることが可能となり、嵌合突部の脚体への嵌合時に取付具の脚体への当接が妨げられず、しかも外部からボルトを完全に遮蔽することができる。
【００１１】
本発明の請求項５に記載のテーブルのフレーム構造は、請求項１乃至４のいずれかに記載のテーブルのフレーム構造であって、前記脚体は、床面に接地されるベース脚と、該ベース脚から上方に延出された支柱と、によって構成され、該支柱の上部に前後方向を向く天板を支持する支持杆を固着し、該支持杆の上面を切り欠いて前記切欠部を形成したことを特徴としている。
この特徴によれば、脚体の上部を支柱に固着された前後方向を向く支持杆としたことで、連結杆の左右方向とは異なる前後方向にも天板の支持範囲を拡大でき、天板をより安定して支持できる。
【発明を実施するための最良の形態】
【００１２】
本発明の実施例を以下に説明する。
【実施例１】
【００１３】
図１は、本発明の実施例１におけるフレーム構造を用いたテーブルの全体像を示す斜視図であり、図２は、テーブルの分解組立斜視図であり、図３は、取付具および連結杆と、支持フレーム（前後の支持杆）と、脚体を構成する一対のベース脚および支柱を示す要部拡大分解斜視図であり、図４（ａ）は、前後の支持杆の連結過程を示す平面図であり、図４（ｂ）は、連結された両支持杆の突出部を支柱に螺着する状態を示す平面図であり、図４（ｃ）は、さらに両支持杆の左右幅方向の範囲内で支柱と螺着する状態を示す平面図である。図５（ａ）は、取付具を示す平面図であり、図５（ｂ）は、図５（ａ）のＡ−Ａ線の断面図であり、図５（ｃ）は、図５（ａ）のＢ−Ｂ線の断面図と、取付具と連結杆との連結過程を示す平面図であり、図６（ａ）は、連結杆の左右端部と左右一対の取付具との連結状態を示す断面図であり、図６（ｂ）は、連結杆と一対の取付具との連結状態を示す平面図であり、図７（ａ）は、テーブルのフレーム構造を示す一部破断平面図であり、図７（ｂ）は、テーブルの全体像を示す平面図であり、図８は、図７（ｂ）の矢視Ｃ−Ｃ線から見た天板および支持杆、支柱、取付具、連結杆の連結構造を示す概略側面図である。
【００１４】
以下、本実施例の説明において、図１に示されたテーブル１に対面した状態で見て、テーブル１の手前側を前方とし、テーブル１の奥行き側を後方とし、左手側を左方、右手側を右方として説明する。図１および図２に示されるように、テーブル１は、主に上面視横長矩形状に形成された天板２と、この天板２の長手方向を支持すべく前後に対向して左右方向に向けて延設された一対の連結フレーム１９，２０および天板２の左右両端側部を支持すべく左右に対向して前後方向に向く一対の支持杆９，１０から構成される左右の支持フレーム８，８から成るフレーム構造と、この支持フレーム８，８が連結される左右の支柱３，３および該支柱３，３の下部に連結され床面６０に設置された前後方向を向く一対のベース脚５，６から成る脚体４，４と、左右の支持杆９，１０の中間の対向面側に天板を支持する一対の取付具４０，４１と、両取付具４０，４１に掛け渡される左右長手方向に延びる連結杆３５と、から構成され、例えば、企業の会議室や図書館、学校等の教室にて利用可能になっている。
【００１５】
連結フレーム１９，２０と支持杆９，１０とは、前方側に配置の左右の支持杆９，９の前端に連結フレーム１９が連結されるとともに、後方側に配置の左右の支持杆１０，１０の後端に連結フレーム２０が連結されることで、上面視横長矩形状のフレームが構成され、このフレーム構造および取付具４０，４１と連結杆３５を介して天板２が脚体４，４に支持される構成になっている。尚、本実施例において、連結フレーム１９，２０および支持フレーム８（支持杆９，１０）、そして支柱３，３およびベース脚５，６はアルミ合金で成型されていることから、軽量で持ち運べ易く且つ強度的にも優れているが、本発明はこれに限定されるものではなく、例えば、これらの部材を他の材質として強度のある硬質のプラスチック材を用いて成型しても良い。
【００１６】
後述において説明するが、予め支持杆９，１０は支柱３の上端から下方に向けてボルトで連結固定されており、同様に特に図示しないが、ベース脚５，６は支柱３の下端から上方に向けてボルトで連結固定されたことで、フレーム構造の一部である前後の支持杆９，１０と脚体である支柱３および前後のベース脚５，６とが、側面視エ字状に一体で構成されている。また、連結フレーム１９，２０の左右端部には、ＡＢＳ樹脂材からなるカバー部材３０が各々取り付け可能になっている。
【００１７】
次に、支持フレーム８を構成する支持杆９，１０と支柱３、取付具４０，４１および連結杆３５について具体的に説明するが、本実施例においては天板２を支持する構造が左右対称の同一構造のため、天板２の左側下面を支持する脚体４側を中心に以下に説明する。
【００１８】
図３に示されるように、脚体４は、床面６０に接地される前後方向を向くベース脚５，６と、ベース脚５，６の接合箇所の上部から上方に延出された支柱３と、から構成され、支柱３の上端３ｃの左側には、ネジ穴３ａ，３ａ’が前後位置に上下方向に形成され、右側にも同様にネジ穴３ｂ，３ｂ’が前後に形成されている。支柱３の上端には、後述において説明するが、前後方向に向けて天板２を支持する支持杆９，１０が固着可能となっており、支持杆９，１０のフラットに形成された上面１１，１２には、それぞれ前後方向に所定間隔で上方を向く複数の開口が形成されると共に、この開口内に複数の補強用１１ａ，リブ１２ａが形成されている。
【００１９】
支持杆９の後端部の右側は下方に切り欠かれた切欠部１１ｂが形成され、その後端側に後端部９ｅよりも後方に向けて、一体で突出した突起９ａが形成されている。支持杆１０の前端部の右側略半分は下方に切り欠かれた切欠部１２ｂが形成され、その左側に前端部よりも前方に向けて、一体で突出された突起１０ａが形成されている。
【００２０】
取付具４０には、図５（ａ）（ｂ）にも示されるように、フラットに形成された上面４２から下方に向けて貫通するボルト用の貫通孔４４が前後左右に４箇所で穿設されるとともに、取付具４０の左方上部には、取付具４０の取付部に相当する嵌合突部４６が突設され、前後に同型のボルト用の貫通孔４３、４３’が上下方向に貫通して形成されている。嵌合突部４６は支持杆９，１０の切欠部１１ｂ，１２ｂに載置可能となっており、嵌合突部４６の前後幅の長さは、切欠部１１ｂ，１２ｂの前後幅の長さの和と略同じであるとともに、嵌合突部４６の左右方向における突出寸法は、切欠部１１ｂ，１２ｂの左右幅と略同一であり、嵌合突部４６の高さと切欠部１１ｂ，１２ｂとの高さも略同一である。したがって、嵌合突部４６を切欠部１１ｂ，１２ｂに載置したときには、両者の上面は面一になっている。
【００２１】
嵌合突部４６の下面における後述する支持部４５側の部位を垂下させて形成した当接面４７の前後中間位置には右方に向けて凹溝４７ａが形成されており、この凹溝４７ａからこの当接面４７側の支柱３と対向する支柱３寄りの方向に向けてボルト用の貫通孔４５ａ，４５ａが開口されている。
【００２２】
上面４２の前後中間位置の右方には、図５（ｃ）にも示されるように下方に切り欠かれ上方が開口する支持部４５が形成され、この支持部４５にはボルト３９，３９を左右方向に挿通可能なボルト用の貫通孔４５ａ，４５ａが上下所定間隔で離間された位置で形成され、凹溝４７ａに向けて貫通している。支持部４５の下端には右方に向く支持片４５ｂが設けられており、連結杆３５の左端部３６を支持可能になっている。連結杆３５の左端部３６には若干内側に螺着部３８が設けられ、上下に一対で螺合孔３８ａ，３８ａが形成されている。尚、連結杆３５の右端部３７にも、同様に螺合孔３８ａを備えた螺着部３８が設けられている（図３参照）。
【００２３】
取付具４０に連結杆３５を取り付けるには、図５（ｃ）に示されるように、取付具４０の支持片４５ｂに連結杆３５の左端部３６を載置させた後、ボルト３９，３９を凹溝４７ａ側からボルト用の貫通孔４５ａ，４５ａに挿通するとともに、螺合孔３８ａ，３８ａに向けて螺合する。この螺合の際には、図６（ａ）に示されるように、ボルトの取り付け作業を容易かつ確実に行うため本実施例では六角レンチ５９を用いて作業が行われる。そこで、ボルト３９が六角レンチ５９の操作により、ボルト用の貫通孔４５ａを介して螺合孔３８ａに向けて螺合し締め込まれていくことで、連結杆３５が直に取付具４０に締結され、同様に連結杆３５の右端部３７も一対のボルト３９で取付具４１に締結される。
【００２４】
このように、連結杆３５の両端部３６，３７は、それぞれ外方より上下２箇所でボルト３９，３９によって螺着されたことで、連結杆３５が簡便かつ強固に固定されるとともに、ボルト３９，３９が少なくとも２箇所でボルト用の貫通孔４５ａ，４５ａを介して連結杆３５に螺着されて、ボルト３９，３９周りの相対回動が確実に規制されるので、連結杆３５が安定して取付具４０，４１を介して支柱３に固着され、常に天板２を安定して支持可能な構成となる。また、取付具４０，４１に左右方向を向く支持片４５ｂが設けられたことで、連結杆３５の両端部３６，３７を支持片４５ｂに載置するだけで、ボルト用の貫通孔４５ａと螺合孔３８ａの上下位置が重なり、ボルト３９を左右方向に挿通し易い状態で位置決めされる構成になっている。
【００２５】
そして、図６（ｂ）に示されるように、左右の取付具４０，４１の支持部４５，４５の上方が開口した開口部の前後幅は連結杆３５の前後幅と略等しく、開口部の高さは、連結杆３５を支持片４５ｂに載置したときに、支持部４５，４５の上面４２と連結杆３５の上面が面一になるように構成されている。したがって、連結杆３５および取付具４０に天板２を載置した場合においても、天板２の下面との隙間を生じさせずに、連結杆３５および取付具４０で天板を安定して支持できるとともに、外部からの見栄えも良くなる（図８参照）。さらに、連結杆３５の左右端部３６，３７が支持部４５，４５に直に挟持されるので、取付具４０，４１と連結杆３５との一体性が保たれ、より強い連結強度となる。しかも、当接面４７の前後中間位置には凹溝４７ａが形成されたことで、ボルト３９を前後側面４８，４９で遮蔽することができる。
【００２６】
図４に示されるように、支持杆９の後端部の左側面には、左方に突設する突出部１３が設けられ、上下方向にボルト用の貫通孔１３ａが穿設され、このボルト用の貫通孔１３ａの右方位置の上面１１の左右幅方向の範囲内に同形のボルト用の貫通孔９ｆが穿設されている。切欠部１１ｂにはネジ穴１１ｃが形成されている。支持杆１０の突起１０ａの左側面には、左方に突設する突出部１４が設けられ、上下方向にボルト用の貫通孔１４ａが穿設され、このネジ用貫通孔１４ａの右方位置の上面１２の左右幅方向の範囲内に同形のボルト用の貫通孔１０ｆが穿設されている。切欠部１２ｂにはネジ穴１２ｃが形成されている。
【００２７】
次に、前後の支持杆９，１０と支柱３との連結過程について説明する。まず、図４（ｂ）に示されるように、支持杆９の後端部９ｅを支持杆１０の突起１０ａに当接させ、支持杆１０の前端部１０ｄを支持杆９の突起９ａに当接させる。この当接に際し、図４（ａ）に示されるように、突起１０ａの側面に設けたピン等の突出物を突起９ａの側面に設けた嵌合孔に嵌合係止させる。これにより、前後の支持杆９，１０の上面１１と上面１２とが面一で整合し、切欠部１１ｂ，１２ｂが前後で連接する。
【００２８】
そして、支持杆９のボルト用の貫通孔１３ａと支柱３のネジ穴３ａおよび、支持杆１０のボルト用の貫通孔１４ａと支柱３のネジ穴３ａ’を位置合わせして載置し、一対のボルト５４，５４で突出部１３，１４を支柱３に締結する。この締結時に、支持杆９、１０のボルト用の貫通孔９ｆ，１０ｆは、支柱３のネジ穴３ｂ，３ｂ’に上下位置で重なるので、図４（ｃ）に示されるように、一対のボルト５５，５５を各々に対応するボルト用の貫通孔９ｆ，１０ｆを介してネジ穴３ｂ，３ｂ’に螺合して支柱３に締結する。これにより支持杆９および支持杆１０がそれぞれ支柱３の左右２箇所で連結され、支持杆９，１０が前後方向に向く支持フレーム８として一体化される。尚、突出部１３，１４の上部には、遮蔽するＡＢＳ樹脂製の蓋材１５が取付可能になっており、ボルト５４の上部を外部から遮蔽することができる。
【００２９】
その後、図７（ａ）に示されるように、支持杆９，９の左右の前端部９ｄ，９ｄをそれぞれ一対のボルト５０，５０で前方の連結フレーム１９に締結し、同じく支持杆１０，１０の左右の後端部１０ｅ，１０ｅをそれぞれ一対のボルト５０、５０で後方の連結フレーム２０に締結し、天板２を支持する矩形のフレーム枠が構成される。
【００３０】
次に、左右に取付具４０，４１を連結した連結杆３５を支柱３側に取り付けるには、図７（ａ）に示されるように、支持杆９，１０の上方に開口する切欠部１１ｂ，１２ｂに向けて、取付具４０，４１の嵌合突部４６，４６を上方から嵌合することで、切欠部１１ｂ，１２ｂの高さ及び前後左右の幅と、嵌合突部４６，４６の高さ及び突出寸法が略同一となるため、切欠部１１ｂ，１２ｂに嵌合突部４６，４６を簡便に嵌合でき仮固定される。この時、切欠部１１ｂ，１２ｂに形成されたネジ穴１１ｃ，１２ｃと、嵌合突部４６，４６の前後に形成されたボルト用の貫通孔４３，４３’とは上下位置でほぼ整合している。
【００３１】
そして、ボルト５２，５２を嵌合突部４６，４６の前後に形成されたボルト用の貫通孔４３，４３’に向けて上方より挿通し、ネジ穴１１ｃ，１２ｃに螺合することで、取付具４０，４１がそれぞれ前後の支持杆９，１０の連結箇所の上部に連結される。
【００３２】
取付具４０，４１および連結杆３５も、左右の支持杆９，１０および前後の連結フレーム１９，２０から構成されるフレーム構造の一部となる。この取り付けによって、図８に示されるように、支持杆９，１０および連結フレーム１９，２０、そして取付具４０，４１および連結杆３５の上面が同じ高さで面一となり、これら部材に天板２を載置した際に、天板２との間に隙間を生じさせずに外部からの体裁もよく、これら部材の上面で天板２の下面が安定して支持されガタツキも生じることがない。
【００３３】
次いで、天板２を支持杆９，１０および連結フレーム１９，２０と、取付具４０，４１および連結杆３５の上面に載置した後、連結フレーム１９，２０の左右端部および、必要であればそのその中間部に形成された上下に貫通する貫通孔２３ａ，２３ａに、ボルト５１を貫通孔２３ａ，２３ａの下方から上方に向けて貫通させ、天板２の下面に形成された特に図示しないボルト穴にねじ込むことで天板２が止着される。
【００３４】
さらに、図７，８に示すように、左右の取付具４０，４１の下方からボルト用の貫通孔４４に向けて、ボルト５３を上方に向けて貫通し、天板２の下面に予め形成されたボルト穴２ａに螺合することで天板２を止着する。必要であれば支持杆９，１０の下方からもボルトで止着してフレーム枠体に天板２を強固に止着することができる。このように、左右の支持杆９，１０からそれぞれの対向面側に突設した連結杆３５を備えた取付具４０，４１を天板２に止着することで、天板２の前後中間位置の撓みが確実に防止される。
【００３５】
このように、左右の脚体４，４（支柱３、ベース脚５，６）の上部に支柱３，３に固着された前後方向を向く支持杆９，１０を固着としたことで、連結杆３５の左右方向とは異なる前後方向にも天板２の支持範囲を拡大でき、天板２をより安定して支持できるとともに、支持杆９，１０の上面を切り欠いて切欠部１１ｂ，１２ｂを形成したことで、取付具４０，４１の嵌合突部４６，４６を支持杆９，１０の上方から容易に取り付けることができる。
【００３６】
そして、図８に示されるように、取付具４０が支持杆９、１０に連結された状態において、当接面４７が切欠部１１ｂの左側面に当接されることから、支持杆９と取付具４０との密着度が高まり、両者の接合強度を高めることができ、支持杆９、１０に対する取付具４０の収まりがよく、連結強度が高められるので、より安定して連結杆３５が取付具４０を介して脚体に支持されることになる。
【００３７】
さらに、取付具４０と連結杆３５とを連結するボルト３９のボルト頭３９ａが凹溝４７ａ内に収納されたことにより、このボルト頭３９ａが当接面４７よりも外方に突出されずにボルト用の貫通孔４５ａ側に収納され、支持杆９、１０と取付具４０の連結時にボルト頭３９ａの支持杆９、１０への当接が回避されるとともに、外部からボルト頭３９ａが遮蔽され見栄えも良い。
【００３８】
また、支柱３の上端３ｃの左側と突出部１３との締結に用いられたボルト５４の頭部は、蓋材１５に覆われたことで遮蔽され、支柱３の上端３ｃの右側と支持杆９との締結に用いられたボルト５５の頭部は天板２によって遮蔽され、支持杆９と取付具４０との締結に用いられたボルト５２の頭部も天板２によって遮蔽されて、取付具４０と天板２の締結に用いられたボルト５３の頭部は、取付具４０の内部に配置されることで遮蔽されている。    更に、取付具４０と連結杆３５の締結に用いられたボルト３９の頭部３９ａは、係合突部４６と、その下面に垂下された当接面４７とが支持杆９、１０の内面側に当接することで遮蔽されている。
【００３９】
以上の説明により本実施例１においては、連結杆３５と支持杆９，１０の連結に取付具４０，４１を用いたことで、天板２のサイズに合わせて適宜、連結杆３５の交換および組み付けが容易に行えるとともに、連結杆３５は取付具４０，４１および支持杆９，１０を介して左右の支柱３，３の上部で支持されるので、連結杆３５に天板２の上方からの大きな荷重が加えられた場合でも、脚体である支柱３，３および、それに対応するベース脚５，６によって強固に支持される。
【実施例２】
【００４０】
次に、本発明の実施例２を図９に基づいて説明する。図９（ａ）は、本発明の実施例２における取付具の支柱への取り付け示す平面図であり、図９（ｂ）は、取付具を支柱に螺着する過程を示す平面図である。尚、以下の実施例２において前述の実施例１と同様の構造部分に関しては、同一の符号を付すことにより詳細な説明は省略することにする。
【００４１】
図９（ａ）に示されるように、支柱３１の上端３１ｃの右側の中間部は、下方に切り欠かれた切欠部３１ｄが形成され、切欠部３１ｄの前後位置に等間隔で同形のネジ穴３１ａ，３１ｂが一対で形成されている。この切欠部３１ｄの前後方向の幅および高さは、取付具４０’の嵌合突部４６’の前後方向の幅および高さと略同一に形成されている。嵌合突部４６’の前後位置にもネジ穴３１ａ，３１ｂと対応するように、等間隔幅で略同形のボルト用の貫通孔４３’’，４３’’’が形成されている。
【００４２】
取付具４０’には予めボルト３９が左方の支柱３１側の外方より右方（内側）に向けて、ボルト用の貫通孔４５ａを貫通して、左右に延びる連結杆３５に螺合締結され、連結杆３５の上面と取付具４０’の上面４２とが面一で整合されており、当接面４７の前後中央に形成された凹溝４７ａ内にはボルト頭３９ａが収納されている。そこで、嵌合突部４６’を上方から切欠部３１ｄに向けて載置する。
【００４３】
図９（ｂ）に示されるように、切欠部３１ｄに嵌合突部４６’が嵌合されると、ネジ穴３１ａ，３１ｂにボルト用の貫通孔４３’’，４３’’’が同位置で重ね合わされ、ボルト５４’の連結位置が位置決めされる。そして、取付具４０’の上面４２と支柱３１の上端３１ｃとが面一で整合されるとともに、取付具４０’が支柱３に仮固定される。次いで、ボルト５４’，５４’を上方からボルト用の貫通孔４３’’，４３’’’を介してネジ穴３１ａ，３１ｂに螺合することで、支柱３１に取付具４０’が連結される。
【００４４】
そして、図示しないボルトを取付具４０’の下方から上方に向けて、前後左右に形成されたボルト用の貫通孔４４を貫通して天板に螺合することで、天板が取付具４０’に止着される。尚、この連結状態において、支柱３１の上端３１ｃおよび取付具４０’の上面４２と連結杆３５の上面とは面一で整合されるので、この３部材（支柱３１，取付具４０’，連結杆３５）で天板を安定して支持できるとともに、天板の下面との隙間を生じさせずに外部からの見栄えも良いものとなる。また、支柱３の右側面（内側面３１ｅ）に取付具４０’の当接面４７が接合されており、ボルト頭３９ａは外部から遮蔽される。
【００４５】
以上の説明により実施例２では、前述の実施例１において説明した脚体４の上部に固着された支持杆９，１０（図７参照）を用いることなく、支柱３１の上端３１ｃに取付具４０’を直に支柱３１に取り付けるたもので、必ずしも支柱に支持杆を設けた上で取付具を固定する必要はない。
【００４６】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、床面６０に接地されるベース脚５，６から上方に向けて支柱３を延出することで、脚体４が構成され支柱３の天板２に対する支持強度を高めていることから好ましいが、本発明はこれに限定されるものではなく、ベース脚５，６を用いることなく直に支柱を単独で床面に立設して、脚体を構成するようにしても良い。
【００４７】
また、上記実施例では、支持杆９の前端部９ｄおよび支持杆１０の後端部１０ｅに連結フレーム１９，２０を連結することで、天板２を支持する矩形のフレーム枠体を構成し、天板の前後左右側端部を安定して支持できることから好ましいが、本発明はこれに限定されるものではなく、連結フレーム１９，２０を用いなくても良い。天板が比較的小さい場合には、脚体４，４に支持された連結杆３５で天板を支持させることも可能である。
【００４８】
また、上記実施例では、取付具４０，４１の支持部４５を上面が開口するように形成することで、連結杆の左右端部３６，３７を上方から支持部４５に容易に載置できることから好ましいが、本発明はこれに限定されるものではなく、上面が開口されない支持部であっても、左右方向から支持部に向けて連結杆３５の左右端部３６，３７を嵌入して取り付けることができることは言うまでもない。
【００４９】
更に、上記実施例では、連結杆３５の端部を２つのボルト３９、３９で取付具４０に螺合連結させているが、ボルトの数は２個に限定されるものではなく、１個であっても良い。
【図面の簡単な説明】
【００５０】
【図１】本発明の実施例１におけるフレーム構造を用いたテーブルの全体像を示す斜視図である。
【図２】テーブルの分解組立斜視図である。
【図３】取付具および連結杆と、支持フレーム（前後の支持杆）と、脚体を構成する一対のベース脚および支柱を示す要部拡大分解斜視図である。
【図４】（ａ）は、前後の支持杆の連結過程を示す平面図であり、（ｂ）は、連結された両支持杆の突出部を支柱に螺着する状態を示す平面図であり、（ｃ）は、さらに両支持杆の左右幅方向の範囲内で支柱と螺着する状態を示す平面図である。
【図５】（ａ）は、取付具を示す平面図であり、（ｂ）は、図５（ａ）のＡ−Ａ線の断面図であり、（ｃ）は、図５（ａ）のＢ−Ｂ線の断面図と、取付具と連結杆との連結過程を示す平面図である。
【図６】（ａ）は、連結杆の左右端部と左右一対の取付具との連結状態を示す断面図であり、（ｂ）は、連結杆と一対の取付具との連結状態を示す平面図である。
【図７】（ａ）は、テーブルのフレーム構造を示す一部破断平面図であり、（ｂ）は、テーブルの全体像を示す平面図である。
【図８】図７（ｂ）の矢視Ｃ−Ｃ線から見た天板および支持杆、支柱、取付具、連結杆の連結構造を示す概略側面図である。
【図９】（ａ）は、本発明の実施例２における取付具の支柱への取り付け示す平面図であり、（ｂ）は、取付具を支柱に螺着する過程を示す平面図である。
【符号の説明】
【００５１】
１                  テーブル
２                  天板
２ａ                ボルト穴
２ｂ                下面
３                  支柱（脚体の一部）
３ａ、３ａ’        ネジ穴
３ｂ、３ｂ’        ネジ穴
３ｃ                上端
４                  脚体
５、６              ベース脚（脚体の一部）
８                  支持フレーム
９、１０            前後の支持杆（支持フレーム）
９ａ、１０ａ        突起
９ｄ、１０ｄ        前端部
９ｅ、１０ｅ        後端部
９ｆ、１０ｆ        ボルト用の貫通孔
１１、１２          上面
１１ａ、１２ａ      リブ
１１ｂ、１２ｂ      切欠部
１１ｃ、１２ｃ      ネジ穴
１３、１４          突出部
１３ａ、１４ａ      ボルト用の貫通孔
１５                蓋材
１９、２０          連結フレーム
２３ａ              貫通孔
２４                下面
３０                カバー部材
３１                支柱
３１ａ，３１ｂ      ネジ穴
３１ｃ              上端
３１ｄ              切欠部
３１ｅ              内側面
３５                連結杆
３５ａ              上面
３６、３７          端部
３８                螺着部
３８ａ              螺合孔
３９                ボルト
３９ａ              ボルト頭
４０、４１          取付具
４０’              取付具
４２                上面
４３、４３’        ボルト用の貫通孔
４３’’、４３’’’    ボルト用の貫通孔
４４                ボルト用の貫通孔
４５                支持部
４５ａ              ボルト用の貫通孔
４５ｂ              支持片
４６、４６’        嵌合突部（取付部）
４７                当接面
４７ａ              凹溝
４８、４９          側面
５０、５１、５２    ボルト
５３、５４、５５    ボルト
５４’              ボルト
５９                六角レンチ
６０                床面
【図１】
0004594212.tif 000002
【図２】
0004594212.tif 000003
【図３】
0004594212.tif 000004
【図４】
0004594212.tif 000005
【図５】
0004594212.tif 000006
【図６】
0004594212.tif 000007
【図７】
0004594212.tif 000008
【図８】
0004594212.tif 000009
【図９】
0004594212.tif 000010